(57)【要約】      （修正有）【課題】弁部の止水面の止水性向上及び、経年使用時における疲労、劣化による止水不良のない自封トラップを提供する。【解決手段】筒状であって、上流は常時開口し、下流に止水面４を構成して当該止水面４を開口／閉口可能とし常時閉口して構成される自封トラップ１において、止水面４の周囲に重り５を構成したり、重り５を、排水による水の重力によって作用させたり、筒状の一部分を袋状に構成し、当該袋６に排水を貯水させることによって重り５を構成した。【選択図】図１
2012140786.tif 000002
【特許請求の範囲】
【請求項１】
筒状であって、上流は常時開口し、下流に止水面４を構成して当該止水面４を開口／閉口可能とし常時閉口して構成される自封トラップにおいて、
止水面４の周囲に重り５を構成したことを特徴とする自封トラップ。
【請求項２】
前記重り５を、排水による水の重力によって作用させることを特徴とする前記請求項１に記載の自封トラップ。
【請求項３】
前記自封トラップ１を、軟質部材によって構成していることを特徴とする前記請求項２に記載の自封トラップ。
【請求項４】
前記筒状の一部分を袋状に構成し、当該袋６に排水を貯水させることによって重り５を構成したことを特徴とする前記請求項２乃至又は請求項３に記載の自封トラップ。
【発明の詳細な説明】
【技術分野】
【０００１】
本発明は、住宅や建物、設備機器などに配置される排水管からの異臭や害虫の進入を防止したり、通気用弁として用いられる、非排水時及び正圧時は閉口状態であり、排水時及び負圧時には開口状態となる自封トラップに関する技術である。
【背景技術】
【０００２】
従来より、住宅や建物、また、冷凍食品等のショーケースなど、排水が発生する機器の排水配管は、発生する排水を下水へと排水するために配管されるが、下水管中の異臭や害虫が室内側へと逆流しないよう、内部に封水を貯水する排水トラップが用いられることがあった。
しかしながら、このような排水トラップであると、下水管内で負圧が発生した場合に内部の封水が吸引されて容易に封水切れとなってしまったり、また、長期間設備機器を使用しないでいると封水となる排水が発生しないため封水が蒸発によって消失してしまうことがあった。（いわゆる「破封」現象）
【０００３】
最近、上記の問題を解決するために図６や図７で示したような「自封トラップ」と呼ばれる装置が用いられている。当該自封トラップは、弾性部材から成り、筒状部、弁部の構成要素から成る。
筒状部は、排水管などの管体に取り付けられる筒状の部材であって、流体は自由に流れることができる。
弁部は、筒状部下端に構成される弁体であって、側面の２方向から中心部分に向かって傾斜して構成され、上面視筒状部中央部分で両者が接触することによって弁形状としている。
止水面は、前記弁部同士が接触している面を指し、弁部が接触して止水面を形成することによって、空気や水などの流体を遮断することができる。
また、前記弁部は、排水などの流体が通過した際には流体の自重や圧力による応力によって、止水面が開口して流体が下流へと通過することができる。通常時は弁部は閉口しており、弁部より下流の流体は弁部より上方側（筒状部側）へと流入することはない。
【０００４】
上記のような自封トラップは図示しないが主に以下のような箇所に取り付けられている。
浴室の排水口や台所の流し台、洗面台、洗濯機の排水口等に用いられる、封水式の排水トラップの代用として用いられる。このような場合は、従来排水トラップが備えられていた箇所にそのまま取り付けられたり、また、排水管の横引管に横置きして取り付けられる場合がある。このように横置きとして自封トラップを配置すると、従来の排水トラップより高さを低くすることができ、床下配管スペースを低くすることができる。
また、上記の他に、排水トラップ内に当該自封トラップを配置することにより、排水トラップを長期間使用せずに封水切れが発生しても自封トラップが閉口しているため、下水管中の異臭や害虫が室内側へ逆流しない。また、排水管内の気圧変動による封水吸い込み現象が発生した際でも、当該自封トラップが閉口することにより、封水切れを効果的に防止することができる。
【０００５】
上記のような自封トラップを用いた排水機器に排水が発生した時の水の流れは以下のとおりである。
排水が発生していない時（通常時）は弁部は向かい合う面同士が当接しており閉口しているが、排水が発生すると排水の重力により弁部の止水面が開口し、排水が自封トラップより下流へと排水される。このように、排水が発生した時のみ排水の重力により止水面が開口して通常時は閉口していることから、下水管中の異臭や害虫が室内側へと逆流することはない。
【先行技術文献】
【特許文献】
【０００６】
【特許文献１】特開２０１０−１２６８９４号公報
【発明の開示】
【発明が解決しようとする課題】
【０００７】
上記のような従来例の自封トラップを用いた場合、以下のような問題点があった。
当該自封トラップは、前記したように自封トラップ自身の復元力により止水面を閉口させるため、止水面が正確に当接しないと止水不良の危険性があるため、従来から止水面の止水性向上が課題としてあった。
【０００８】
また、自封トラップは可動する部材であり、経年使用すると応力が加わったり排水中のゴミや洗剤などの影響によって疲労、劣化してしまい、特に弾性部材で自封トラップを構成していると弁部部分が開口したまま閉口しなくなったり、止水面が傷ついたりしてきちんと止水出来なくなっていた。
【０００９】
以上のことから、本願発明の自封トラップは、自封トラップの弁部の止水面の止水性向上及び、経年使用時における疲労、劣化によって発生する止水不良を解決することを目的とする。
【課題を解決するための手段】
【００１０】
本発明の請求項１に記載の自封トラップ１は、筒状であって、上流は常時開口し、下流に止水面４を構成して当該止水面４を開口／閉口可能とし常時閉口して構成される自封トラップ１において、止水面４の周囲に重り５を構成したことを特徴とする自封トラップである。
である。
【００１１】
本発明の請求項２に記載の自封トラップ１は、前記重り５を、排水による水の重力によって作用させることを特徴とする前記段落００１０に記載の自封トラップである。
【００１２】
本発明の請求項３に記載の自封トラップ１は、前記自封トラップ１を、軟質部材によって構成していることを特徴とする前記段落００１１に記載の自封トラップである。
【００１３】
本発明の請求項４に記載の自封トラップ１は、前記筒状の一部分を袋状に構成し、当該袋６に排水を貯水させることによって重り５を構成したことを特徴とする前記段落００１１乃至又は段落００１２に記載の自封トラップである。
【発明の効果】
【００１４】
請求項１に記載の本発明は、止水面４の周囲に重り５を構成したことから、自封トラップ１の止水面４が経年使用により疲労、劣化しても、良好に止水面４の止水性が保たれ、止水不良などが発生することはない。
請求項２に記載の本発明は、重り５を排水による水の重力によって作用させているため、自封トラップ１に別部材をわざわざ構成することなく重り５に使用することが出来、部材点数が減ることによりコストダウンを図ることができる。
請求項３に記載の本発明は、自封トラップ１を軟質部材によって構成したことから、自封トラップ１の可動が円滑かつスムーズに作用することができ、更には重り５が止水面４に作用しやすくなる。
請求項４に記載の本発明は、筒状の一部分を袋状に構成し、当該袋６に排水を貯水させることによって重り５としたことから、自封トラップ１の重り５を一体的に構成することが出来、更には排水のみで重りとする事が出来るので、わざわざ金属などの重りを備える必要もない。
【図面の簡単な説明】
【００１５】
【図１】本発明の実施の形態を示す断面図である。
【図２】本発明の実施の形態を示す断面図である。
【図３】本発明の実施の形態を示す断面斜視図である。
【図４】本発明のその他の実施の形態を示す断面図である。
【図５】本発明のその他の実施の形態を示す斜視図である。
【図６】従来例を示す断面図である。
【図７】従来例を示す斜視図である。
【発明を実施するための形態】
【００１６】
本実施例の自封トラップ１は、図１乃至図３に示すように、排水が発生する排水機器の排水口に構成され、本実施例では図示しないが洗面台の排水口に用いられ、排水管中に配置構成されて成る。
当該自封トラップ１は、弾性部材から成り、筒状部２、弁部３、止水面４、重り５、から構成されてなる。
筒状部２は、排水管などの管体に取り付けられる筒状の部材であって、流体は自由に流れることができる。
弁部３は、筒状部２下端に構成される弁体であって、内側面の二方向から中心部分に向かって傾斜して構成され、上面視筒状部２中央部分で両者が接触することによって弁形状としている。
止水面４は、前記弁部３同士が接触している面を指し、弁部３が接触して止水面４を形成することによって、空気や水などの流体を遮断することができる。
また、前記弁部３は、排水などの流体が通過した際には流体の自重や圧力による応力によって、止水面４が開口して流体が下流へと通過することができる。通常時は弁部３は閉口しており、弁部３より下流の流体は弁部３より上方側（筒状部２側）へと流入することはない。
重り５は、図１乃至図３に示したように、筒状部２から止水面４にかけて構成されている。また、弁部３へ向かって袋状に窪ませて構成されており、内部に排水の一部分が貯水される構成になっている。
【００１７】
上記のような自封トラップ１を用いた排水機器に排水が発生した時の水の流れは以下のとおりである。
排水が発生していない時（通常時）は、図１又は図３に示すように、筒状部２の袋６に排水の一部が貯水されて、その袋６内の排水の重力によって重り５として弁部３の止水面４に作用し、止水面４同士が向かい合う方向に応力が働き、止水面４同士がより強固に当接して閉口、密閉している。このような状態から排水が発生すると、図２に示すように排水の重力により弁部３の止水面４が開口し、排水が自封トラップ１より下流へと排水される。この止水面４の開口時における排水の重力は、袋６の重り５に貯水している排水の許容量が超えた時点から排水が袋６から溢れて止水面４が開口し始め、排水が開始されることとなる。
このように、排水が発生した時のみ排水の重力により止水面４が開口して通常時は閉口していることから、下水管中の異臭や害虫が室内側へと逆流することはない。また、排水発生時には、密着して閉口している弁部３の止水面４が開口し、排水を下流へと排水することができる。
排水が完了すると、図１又は図３に示したように、袋６内には排水の一部が貯水されるので、袋６自身が重り５として作用する為、止水面４同士が重り５の応力により止水面４同士の方向に向かって閉口することとなる。
従って、自封トラップ１が経年使用時における劣化した際に発生する、止水面４の閉口不良などが発生したとしても、袋状の重り５が構成されている為、止水面４は重り５の応力により強制的に閉口することができ、止水不良が発生することがない。
【００１８】
本発明の実施例は以上のようであるが、本発明は上記実施例に限定されるものではなく、主旨を変更しない範囲において自由に変更が可能である。
前記実施例では自封トラップ１の重り５を袋状に構成して内部に排水を貯水して重り５としているが、例えば図４又は図５に示したように、重り５を金属製の重り５として内蔵しても構わない。
また、前記実施例では自封トラップ１を軟質部材で構成しているが、弁部３が正常に作動するのであればプラスチックなどの硬質部材で構成しても構わない。
【符号の説明】
【００１９】
１  自封トラップ
２  筒状部
３  弁部
４  止水面
５  重り
６  袋
【図１】
2012140786.tif 000003
【図２】
2012140786.tif 000004
【図３】
2012140786.tif 000005
【図４】
2012140786.tif 000006
【図５】
2012140786.tif 000007
【図６】
2012140786.tif 000008
【図７】
2012140786.tif 000009